(57)【要約】【課題】長期使用中にランプの口金がソケットから緩んで外れて落下するなどの不具合発生を一層確実に防止することができる照明器具を提供する。【解決手段】直管形のランプ１とソケット２とを有し、ランプ１は、ソケット２に挿着される口金１１と、発光部となるバルブ１２と、両者１１，１２間を接続する台座１３とが設けられる一方、建造物に固定されてソケット２を覆うソケットカバー受け４と、このソケットカバー受け４に装着されるソケットカバー５とを備え、ソケットカバー５には、バルブ１２の外径よりも大径で、かつ、台座１３の外径よりも小径のバルブ挿通孔５２が形成されている。【選択図】図４
2010146856.tif 000002
【特許請求の範囲】
【請求項１】
直管形のランプと、ランプ取付用のソケットとを有し、前記ランプは、前記ソケットに挿着される口金と、発光部となるバルブと、前記口金とバルブ間を接続する台座とが設けられる一方、建造物に固定されて前記ソケットを覆うソケットカバー受けと、このソケットカバー受けに装着されるソケットカバーとを備え、前記ソケットカバーには、前記バルブの外径よりも大径で、かつ、前記台座の外径よりも小径のバルブ挿通孔が形成されていることを特徴とする照明器具。
【発明の詳細な説明】
【技術分野】
【０００１】
本発明は、ダウンライト等に使用される照明器具に関するものである。
【背景技術】
【０００２】
一般に、高輝度放電灯（ＨＩＤランプ）は、白熱灯や蛍光灯に比較してエネルギ効率が高く、高輝度が得られ、また消費電力が少なくて寿命が長いといった利点があり、近年、路面などの大規模空間を照明するダウンライトなどに使用される頻度が多くなっている。
【０００３】
ところで、このような照明器具は、発光源となるランプがソケットに装着されて電気的かつ機械的な接続が図られるが、このような照明器具が例えば道路に近接した建造物に設置されるような場合や、エレベータのような移動体に設置されるような場合には、振動等に起因してランプの装着状態に緩みが生じて、ランプがソケットから外れてしまうことがある。
【０００４】
このようなランプのソケットからの緩みを防止するために、従来技術では、嵌合緩み防止手段としてソケットの内周面に板バネを設け、ランプの口金をソケットにねじ込むと、板バネが口金の外周部を押圧することで緩み防止を図るようにしたものが提案されている（例えば、下記の特許文献１参照）。
【特許文献１】特開平１１−３２９７６３号公報
【発明の開示】
【発明が解決しようとする課題】
【０００５】
しかしながら、上記の特許文献１記載のものでは、ランプの口金をソケットにねじ込むと、板バネが口金の外周部を押圧するだけの極めて簡単な構造であるため、長期使用中には、依然として振動等に起因してランプの口金がソケットから緩んで外れてしまい、ランプが路上等に落下する恐れがあり、緩み防止対策として十全ではない。
【０００６】
本発明は、上記の課題を解決するためになされたもので、長期使用中に振動等に起因してランプの口金がソケットから緩んで外れてしまって落下するなどの不具合発生を一層確実に防止することができる照明器具を提供することを目的とする。
【課題を解決するための手段】
【０００７】
上記の目的を達成するために、本発明の照明器具にあっては、直管形のランプと、ランプ取付用のソケットとを有し、前記ランプは、前記ソケットに挿着される口金と、発光部となるバルブと、前記口金とバルブ間を接続する台座とが設けられる一方、建造物に固定されて前記ソケットを覆うソケットカバー受けと、このソケットカバー受けに装着されるソケットカバーとを備え、前記ソケットカバーには、前記バルブの外径よりも大径で、かつ、前記台座の外径よりも小径のバルブ挿通孔が形成されている。
【発明の効果】
【０００８】
本発明の照明器具においては、ランプの口金がソケットに装着されるだけでなく、さらに、ソケットカバーがソケットカバー受けに装着されるので、長期使用中に振動等に起因してランプの口金がソケットから緩んで外れても、ランプの台座がソケットカバーによって受け止められるので、ランプが落下する恐れがなく、従来よりも一層安全性が高まる。
【発明を実施するための最良の形態】
【０００９】
以下、本発明の実施の形態について、図面を参照して詳しく説明する。図１は本発明の実施の形態における照明器具の建造物への取付状態を示す正面図、図２は同照明器具のソケットカバーをソケットカバー受けに装着する状態を示す断面図、図３は同照明器具においてソケットカバーをソケットカバー受けから取り外した状態を示す斜視図、図４は同照明器具の各部を分解して示す断面図である。
【００１０】
この実施の形態の照明器具は、ランプ１と、ランプ取付用のソケット２とを有する。ランプ１は、本例では、直管形の高輝度放電灯（ＨＩＤランプ）であって、ソケット２に挿着される口金１１と、発光部となるバルブ１２と、口金１１とバルブ１２間を接続する台座１３とを備えている。この場合、台座位置１３の外径Ｄ３は、バルブ１２の外径Ｄ１よりも大きくなっている。なお、ランプ１は、本例のような高輝度放電灯に限らず、直管型のものであれば、白熱灯や蛍光灯であってもよい。また、ソケット２には、ランプ１との電気的接続を行うためのケーブル３が接続されている。
【００１１】
また、この照明器具は、ソケット２を覆う有底円筒状のソケットカバー受け４と、このソケットカバー受け４に螺着されるソケットカバー５とを備えている。ソケットカバー受け４は、その上部にネジ穴４１が形成されるとともに、ソケット２のケーブル３が挿通されるようになっており、また、外周部には雄ネジ部４２が設けられている。そして、ネジ穴４１にネジ６を挿通することで、このソケットカバー受け４が支柱、家屋、壁面などの建造物に固定される。
【００１２】
一方、ソケットカバー５は、略有底円筒状のもので、その内周面には雌ネジ部５１が形成され、また、底部中央にはバルブ挿通孔５２が形成されている。このバルブ挿通孔５２は、その口径Ｄ２がランプ１のバルブ１２の外径Ｄ１よりも大径で、かつ、台座１３の外径Ｄ３よりも小径になるように予め設定されている。つまり、Ｄ１＜Ｄ２＜Ｄ３の関係を満たすようになっている。
【００１３】
この照明器具を組み付ける際には、ソケットカバー受け４をネジ６などを適用して支柱、家屋、壁面などの建造物７に固定する。次に、ソケット２を図示ないネジなどを適用してソケットカバー受け４に固定する。また、ソケット２のケーブル３をソケットカバー受け４を通して外部の電気配線に接続する。次に、ランプ１の口金１１をソケット２にねじ込んで挿着する。続いて、ソケットカバー５のランプ挿通孔５２にランプ１のバルブ１２を挿通してから、ソケットカバー５の雌ネジ部５１をソケットカバー受け４の雄ネジ部４２に螺合してソケットカバー５を固定する。
【００１４】
したがって、この構造の照明器具においては、ランプ１の口金１１がソケット２にねじ込み固定されるだけでなく、ソケットカバー５がソケットカバー受け４にねじ込み固定されるので、ランプ１の長期使用中に、振動等に起因してランプ１の口金１１がソケット２から緩んで外れても、ランプ１の台座１３がソケットカバー５の底部によって受け止められるので、ランプ１が不意に落下することがなく、従来よりもさらに安全性を高めることができる。
【図面の簡単な説明】
【００１５】
【図１】本発明の実施の形態における照明器具の建造物への取付状態を示す正面図である。
【図２】同照明器具のソケットカバーをソケットカバー受けに装着する状態を示す断面図である。
【図３】同照明器具において、ソケットカバーをソケットカバー受けから取り外した状態を示す斜視図である。
【図４】同照明器具の各部を分解して示す断面図である。
【符号の説明】
【００１６】
１    ランプ
１１    口金
１２    バルブ
１３    台座
２    ソケット
４    ソケットカバー受け
５    ソケットカバー
５２    ランプ挿通孔
【図１】
2010146856.tif 000003
【図２】
2010146856.tif 000004
【図３】
2010146856.tif 000005
【図４】
2010146856.tif 000006